(57)【要約】【課題】電動ポンプとバッテリーを機体の低位に纏めて並列状に設置し、重心を低くし走行安定性を向上させると共に、運搬車としても使用することができる利便性に優れたユニット構造の小型ポンプ車を提供する。【解決手段】左右の車輪２を有する機体フレーム８の後部に杆状のハンドル１０を立設した台車３に、フィルター６ａ付の吸込管６とノズル７ａ付の吐出管７を備える電動ポンプ５及び、該電動ポンプ５に電源を供給するバッテリー４を並列状に載置して備えた小型ポンプ車とした。【選択図】図１
2006101802.tif 000002
【特許請求の範囲】
【請求項１】
左右の車輪（２）を有する機体フレーム（８）の後部に杆状のハンドル（１０）を立設した台車（３）に、フィルター（６ａ）付の吸込管（６）とノズル（７ａ）付の吐出管（７）を備える電動ポンプ（５）及び、該電動ポンプ（５）に電源を供給するバッテリー（４）を並列状に載置して備えた小型ポンプ車。
【請求項２】
吸込管（６）又は吐出管（７）等のホース類を巻き掛け支持する支持杆（１５）を、ハンドル（１０）の中途部に前後方向に向けて横設した請求項１記載の小型ポンプ車。
【請求項３】
電動ポンプ（５）とバッテリー（４）の上方を覆う蓋カバー（９ａ）を開閉可能に設けて物置台を形成した請求項１又は２記載の小型ポンプ車。
【発明の詳細な説明】
【技術分野】
【０００１】
本発明は、小型ポンプ車に関する。
【背景技術】
【０００２】
一般に、苗の植え付けと同時に施肥を行う移植機は、作業の中途で液体肥料（ぺースト肥料）を収容する施肥タンクが空になったとき、路上に待機させた肥料供給機（ポンプ車）から、施肥タンクに対しぺースト肥料の補給作業が行われる。
このような補給作業に使用されるポンプ車は、特許文献１で示される構成のものが既に公知である。このポンプ車は、車輪を有し後部にハンドルを設けた機体フレームに、ぺースト肥料を貯留する肥料タンクと、エンジン並びに液体ポンプとを前後方向に搭載した構成となっている。
【特許文献１】特開２００３−３８０１１公報
【発明の開示】
【発明が解決しようとする課題】
【０００３】
上記特許文献１で示されるポンプ車は、機体フレームに重量のある肥料タンク及び液体ポンプの上部にエンジンを搭載するので、重心が高く走行安定性に劣り凹凸やぬかるみ等のある路面条件が劣悪な農道（畦道等）を走行することが困難な問題がある。
また液体ポンプは吸込管を肥料タンクの底部に直結固定した補給作業専用のポンプにしているため、このポンプ車を利用して例えば、移植機を洗車する際の洗車ポンプや消毒液を散布する薬液ポンプ等として多用途の作業に使用できず、ポンプ用途及びポンプ車の使途が限定される等の問題がある。
【課題を解決するための手段】
【０００４】
上記課題を解決するために本発明の小型ポンプ車は、第１に、左右の車輪２を有した機体フレーム８の後部に杆状のハンドル１０を立設した台車３に、フィルター６ａ付の吸込管６とノズル７ａ付の吐出管７を備える電動ポンプ５及び、該電動ポンプ５に電源を供給するバッテリー４を並列状に載置して備えたことを特徴としている。
【０００５】
第２に、吸込管６又は吐出管７等のホース類を巻き掛け支持する支持杆１５を、ハンドル１０の中途部に前後方向に向けて横設したことを特徴としている。
【０００６】
第３に、電動ポンプ５とバッテリー４の上方を覆う蓋カバー９ａを開閉可能に設けて物置台を形成したことを特徴としている。
【発明の効果】
【０００７】
以上のように本発明による小型ポンプ車は、車輪を有する機体フレームの後部にステー型のハンドルを立設した台車に、フィルター付の吸込管とノズル付の吐出管を備える電動ポンプと駆動電源のバッテリーを、機体の低位に纏めて並列状に設置したことにより、走行安定性及び多様なポンプ作業や移動等の利便性に優れ、また軽量でコンパクトなユニット構造の小型ポンプ車を簡潔な構成によって廉価に提供することができる。
【０００８】
ハンドルの中途部で前後方向に、ホース類を巻き掛け支持可能な支持杆を設けたことにより、非作業時に長い吸込管や吐出管を機体の側方にはみ出させることなくコンパクトに巻き掛けて収納支持することができる。
【０００９】
電動ポンプとバッテリーの上方を開閉可能な蓋カバーで覆うことにより、肥料供給や洗
車等の作業に伴う肥料滴下や水飛沫から、電動ポンプ及びバッテリーの汚損を防止することができる。
また蓋カバーは肥料タンク等の物品を載置可能な物置台に兼用することができ、運搬にも利用可能な利便性の高い小型ポンプ車にすることができる。また支持杆の下方に位置する蓋カバーはホース載台に利用することができるから、吸込管や吐出管の繰り出し及び巻き掛け作業を行い易くすることができる。
【発明を実施するための最良の形態】
【００１０】
本発明の一実施形態を図面に基づいて説明する。符号１は車輪２を左右に配置した台車３に、バッテリー４から供給される電源によって駆動される電動ポンプ５を搭載した小型ポンプ車である。上記電動ポンプ５はバキュームスイッチを有するポンプ部と、該ポンプ部を駆動する駆動モータを一体化させた公知の構成からなり、その吸込口と吐出口にフィルター６ａを有する吸込管６と、ノズル７ａを有する吐出管７をそれぞれ備え、吸込管６側から吸い込んだぺースト肥料又は薬液或いは水等の液体を、吐出管７のノズル７ａから吐出することができる。
【００１１】
この実施形態において小型ポンプ車１の使用例は、農道や畦等の路上に待機させると共に、近隣に準備されたぺースト肥料タンクから、図示しない苗の植付作業と同時にペースト肥料を施肥する移植機の肥料タンクに対し、電動ポンプ５を作動しぺースト肥料を吸込み吐出して供給する場合について説明する。
【００１２】
小型ポンプ車１の台車３は、左右の車輪２を有する方形平坦面状の機体フレーム８の上部に、電動ポンプ５とバッテリー４を左右に並べた状態で着脱可能に取付固定される。また機体フレーム８の外周縁には輪郭に沿う板状のカバー側壁９を立設し、内部の電動ポンプ５及びバッテリー４を側方から囲んだ状態でカバーをする。また平面視方形状に立設されるカバー側壁９の開口上部には、物置台として利用可能な蓋カバー９ａを後述する構成によって設ける。
【００１３】
また台車３はカバー側壁９の後部で杆状体からなる左右のハンドル１０を後傾斜状に立設している。この左右のハンドル１０は把持部を後方に向け屈曲形成しており、左右の下部を後方に向けて突出させる物置台１１で連結し、且つ物置台１１の裏側は機体フレーム８から延設した支持杆１２と連結することにより剛体構造にする。
【００１４】
図示例のハンドル１０の左右には、その上方中途位置に棒状の支持杆１５を前後方向に向けて略水平姿勢で横設し、ハンドル１０の前側と後側に突出する支持杆１５，１５の下方に広い空間部を形成する。これにより前側の支持杆１５に吸込管６及び吐出管７等のホース類を巻き掛けるとき、空間部を利用し整然と纏めながらホース類を機体の側方に大きくはみ出させることなくコンパクトに収納させることができる。このときホース類の重量はハンドル１０の前側寄りに位置するので、支持杆１５に長いホース類を支持させても、機体バランスを損なうことなく走行安定性を高めることができる。
尚、後側の支持杆１５にはぺースト肥料や水等の液体を収容した袋１３等を随意に掛け止め支持したり、ホース類の一部を支持させることができる。
【００１５】
また車輪２の後方でハンドル基部の略直下には、停止時に機体を略水平姿勢に支持するスタンド１６を設置している。スタンド１６は機体フレーム８側に設けた支持軸１７を介し回動可能に軸支され、支点越え用のスプリング１９によって引っ張り付勢している。この構成によりスタンド１６は、図１の実線で示すようにスプリング１９によって前側のストッパ２０に接当して保持状態となりスタンド姿勢にすることができる。またスタンド１６を後方回動させると、スプリング１９が支持軸１７を支点越えして付勢し、支持杆１２に接当させた状態の非スタンド姿勢に切り換え保持することができる。
【００１６】
次に蓋カバー９ａについて説明する。蓋カバー９ａはカバー側壁９の後方を部分的に閉鎖する固定カバー２１と、該固定カバー２１の前側に設けたヒンジ部２２を介して開閉回動可能に設けた開閉カバー２３とからなる。これにより立設されたカバー側壁９の開口部は蓋カバー９ａの広巾な平坦面によって覆われ、カバー側壁９内を防水構造で閉鎖することができ、肥料供給や洗車等の作業時に発生する肥料の滴下や飛散及び水飛沫を遮断し、内部の電動ポンプ５及びバッテリー４の汚損を防止することができる。
【００１７】
また電動ポンプ５及びバッテリー４が機体フレーム８に並列状に載置されるため、蓋カバー９ａはその高さをできるだけ低く抑えることができ、カバー面上に肥料タンクやホース類等の物品を簡単に載せることができる物置台に兼用することができる。従って、この小型ポンプ車１は電動ポンプ５及びバッテリー４を載置した、簡潔で廉価なユニット構造の小型運搬台車として、他用途にも利用可能な利便性の高いものにすることができる。
【００１８】
カバー側壁９の後端部に取付固定される固定カバー２１は、後方に延長することにより物置台としての面積を拡張し、延長した後端部を左右のハンドル１０の中途部に連結することにより、固定カバー２１とハンドル１０を互いに補強し合う剛体構造にしている。
また開閉カバー２３は後方のヒンジ部２２を支点に前側から上方に開動することができるので、電動ポンプ５及びバッテリー４のメンテナンス作業を行う際に、支持杆１５に巻き掛けたホース類を外すことなく開閉することができる。
【００１９】
バッテリー４と電動ポンプ５はカバー側壁９内に設置されるとき、左右の車輪２の車軸２ａを結ぶ軸線上に左右に並べて配置することにより、機体の重心安定性及び走行安定性を高めるようにしている。
またバッテリー４及び電動ポンプ５は機体フレーム８に着脱可能に取付固定しており、両者のメンテナンスを行い易くしている。また電動ポンプ５はバッテリー４に対し長いコード２５を介して接続し、且つ取っ手２６を備えて設置される。
【００２０】
この構成により電動ポンプ５は機体フレーム８との固定を解除したとき、取っ手２６を把持して機外への取り出し移動を簡単に行うことができる。これにより例えば小型ポンプ車１の走行移動が困難な場所で、肥料タンクや水源が離間した供給位置にあるとき、小型ポンプ車１を敢えて移動することなく電動ポンプ５及び吸込管６と吐出管７のみを移動させて、供給位置から液体を簡単に吸込吐出することができる。
【００２１】
また車輪２はバッテリー４の直流電源によって正逆回転駆動可能とされる走行モーター２７を車軸２ａに設置している。この走行モーター２７及び電動ポンプ５の運転操作は、ハンドル１０の把持部に設置されたコントロールボックス２９によって行われる。
尚、電動ポンプ５は電源切り換え構造の付設により、家庭用電源を利用した運転も行うことができる。また小型ポンプ車１は軽量構造であるため走行モーター２７を省略し手押し走行させることもできる。
【００２２】
以上のように構成される小型ポンプ車１は開閉カバー２３を閉じ、且つスタンド１６をスタンド姿勢に切り換えた定置状態で、図示しない準備された最寄りの液体タンク内に支持杆１５から外した吸込管６を挿入し、且つ吐出管７を移植機の肥料タンク内に挿入する。次いでコントロールボックス２９のポンプスイッチを操作し電動ポンプ５を駆動することにより、液体タンク内のぺースト肥料を移植機の肥料タンクに供給することができる。
【００２３】
ぺースト肥料の供給作業を終了した後は、電動ポンプ５の駆動を停止し、吸込管６及び吐出管７を支持杆１５に巻き掛けて収納する。このような供給作業を行うとき、フィルタ
ー６ａ或いはノズル７ａから蓋カバー９ａ上にぺースト肥料が液垂れすることがあるが、落下したぺースト肥料は蓋カバー９ａの固定カバー２１及び開閉カバー２３によって遮られるので、内部のバッテリー４及び電動ポンプ５の汚損を防止することができる。
【００２４】
また長い吐出管７及び吸込管６等のホース類を支持杆１５に巻き掛ける際には、開閉カバー２３を閉じた状態の蓋カバー９ａの上に、ホース類を一旦載せて姿勢を整えた状態で巻き掛け作業を行うことができ、長いホース類を手際よく整然と揃えながらホース類を傷めることなく能率よく収納することができ、また次期のホース類の使用も行い易くすることができる。
【００２５】
さらに、電動ポンプ５及びバッテリー４は車軸２ａの軸心に近接させ重心安定性よく設置されるから、これらの側方を覆う高さ程度にカバー側壁９を立設し、蓋カバー９ａを比較的低い位置に構成することができ、この上に液体タンクを載置する場合に、安定よく支持することができる。
従って、蓋カバー９ａに液体タンクを載置して運搬をしたり、載置された液体タンクに吸込管６を差し込んで行う供給作業を能率よく簡単に行うことができる。
【００２６】
また大型の液体タンクを常設せず袋掛け用の支持杆１５を備え、且つバッテリー４とバキュームスイッチを有する電動ポンプ５を備える小型ポンプ車１は、肥料袋１３を支持杆１５に掛けた状態において、吸込管６を挿入し電動ポンプ５を作動すると、肥料を吸い込み吐出管７から移植機に簡単に供給することができる。
この際、肥料袋１３内の肥料が無くなると、バキュームスイッチが作動し電動ポンプ５を自動停止させるので、この段階で新たな肥料袋１３を交換セットし、再び電動ポンプ５を作動し供給作業を連続して行うことができる。
【００２７】
肥料の供給作業が終了され、この小型ポンプ車１を利用して移植機の洗車を行う場合には、最寄りの用水路等の水源に吸込管６を挿入して電動ポンプ５を作動させると、吸込管６から吸い込んだ水を吐出管７から移植機に向けて吐出させ、移植機の洗浄作業を速やかに行うことができる。
【図面の簡単な説明】
【００２８】
【図１】本発明に係わる小型ポンプ車の側面図である。
【図２】図１の要部の構成を示す平面図である。
【符号の説明】
【００２９】
１    小型ポンプ車
２    車輪
３    台車
４    バッテリー
５    電動ポンプ
６    吸込管
７    吐出管
８    機体フレーム
９    カバー側壁
９ａ  蓋カバー
１０  ハンドル
１１  物置台
１５  支持杆
２１  固定カバー
２３  開閉カバー
【図１】
2006101802.tif 000003
【図２】
2006101802.tif 000004